(57)【特許請求の範囲】
【請求項１】
化学成分がｍａｓｓ％でＣ：０．０３％〜０．０９０％、Ｓｉ≦０．７％、Ｍｎ：２．０〜４．０％、Ｐ≦０．０５％、Ｓ≦０．００５％、Ｓｏｌ．Ａｌ：Ｏ．０１〜０．１％、Ｎ≦０．００５％、Ｔｉ：０．００５〜０．１％、Ｂ：０．０００２〜０．００４０％を含有し、Ｂ、Ｔｉ、Ｎが下記不等式を満足し、残部が鉄および不可避的不純物からなり、平均粒径が５μｍ以下のフェライトと体積率が１５〜８０％のマルテンサイトを有することを特徴とする伸びフランジ性および耐二次加工脆性に優れた溶融亜鉛めっき鋼板。
０．０００２≦Ｂ−（１１／１４）［Ｎ−（１４／４８）Ｔｉ］≦０．００３０
ここで、式中の元素記号はそれぞれの元素のｍａｓｓ％を示し、［Ｎ−（１４／４８）Ｔｉ］≦０の場合は［Ｎ−（１４／４８）Ｔｉ］を０とする。
【請求項２】
請求項１記載の溶融亜鉛めっき鋼板において、化学成分としてさらに、ｍａｓｓ％で、Ｍｏ：０．０１〜１．０％、Ｖ：０．０１〜０．５％、Ｃｒ：０．０１〜０．５％の内一種以上含有することを特徴とする伸びフランジ性および耐二次加工脆性に優れた溶融亜鉛めっき鋼板。
【請求項３】
請求項１又は請求項２記載の化学成分の鋼を、溶製して鋳造する工程と、この鋳造されたスラブを熱間圧延する工程と、その後、酸洗して冷間圧延する工程と、冷間圧延後Ａｃ３点以上９００℃以下の温度に加熱し、下記不等式を満足する時間ｔ（ｓｅｃ）保持した後、冷却し、溶融亜鉛めっき処理を施す工程とを備えたことを特徴とする伸びフランジ性および耐二次加工脆性に優れた溶融亜鉛めっき鋼板の製造方法。
４×｛Ｂ−（１１／１４）［Ｎ−（１４／４８）Ｔｉ］｝×１０４＋３０≦ｔ≦４×｛Ｂ−（１１／１４）［Ｎ−（１４／４８）Ｔｉ］｝×１０４＋２８０
ここで、式中の元素記号はそれぞれの元素のｍａｓｓ％を、ｔは加熱温度における保持時間（ｓｅｃ）を示し、［Ｎ−（１４／４８）Ｔｉ］≦０の場合は［Ｎ−（１４／４８）Ｔｉ］を０とする。
【発明の詳細な説明】
【０００１】
【発明の属する技術分野】
本発明は伸びフランジ性および耐二次加工脆性に優れた溶融亜鉛めっき鋼板およびその製造方法に関する。
【０００２】
【従来の技術】
近年、地球温暖化防止の観点から、自動車、電気、化学メーカー等各種産業界において排出されるCO2ガスの低減化が要求されている。この具体的な取り組みとして、自動車メーカーでは、電気自動車の開発、ガソリン車の車体軽量化が実施され、燃料比率の低減化を進めている。自動車車体の軽量化に対しては、自動車の各種部品に適用されている鋼板の板厚を減肉化することが有効とされている。
【０００３】
しかし、板厚低減による軽量化の反面、車体の剛性の低下が懸念される。車体剛性を維持しつつ軽量化するには、高強度鋼板の適用が有望であり、ロッカー、メンバー等の各種自動車構造部品に高強度鋼板の適用が検討されている。その反面、実際の部品に成形する場合、伸び、伸びフランジ性などのプレス成形性の劣化が問題となる。また、高強度化するほど材料自体の靭性が低下するため、成形後の部品の靭性（耐二次加工脆性）の向上が求められる。
【０００４】
こうした要求に対し、従来から種々の高強度鋼板が開発されている。例えば、特開平4-173946号公報には、高延性高強度合金化溶融亜鉛めっき鋼板の製造方法が開示されている。この技術は、C:0.06〜0.30%を有するNb添加鋼を、焼鈍時の冷却の際、所定の温度域における冷却速度をMn,Mo,Cr,Si,P含有量の重み付き合計値で規定することにより、伸び、伸びフランジ性の良好な655〜877MPa（66.8〜89.5kg/mm2）の強度を有する鋼板が得られるというものである。
【０００５】
特開平6-93340号公報には、伸びフランジ性の優れた高強度合金化溶融亜鉛めっき鋼板の製造方法及び製造設備が開示されている。この技術は、連続焼鈍溶融亜鉛めっき処理の際、加熱から亜鉛めっきに至るまでの冷却と再加熱の温度を制御して、焼き戻しマルテンサイトを得ることにより、伸びフランジ性の良好な519〜794 MPa（53〜81kg/mm2）の強度を有する鋼板が得られるというものである。
【０００６】
特開平6-57373号公報には、耐二次加工脆性に優れる高ｒ値高張力冷延鋼板及びその製造方法が開示されている。この技術は、P添加のTi-Nb-B系の鋼で、B含有量をSi,Mn,P含有量の重み付き合計値で定まる所定範囲内に調整した鋼を用いることにより、耐二次加工脆性の良好な368〜502MPa（37.5〜51.2kg/mm2）の強度を有する鋼板が得られるというものである。
【０００７】
特開2001-192768号公報には、優れた延性、伸びフランジ性、および耐疲労特性を有する高張力溶融亜鉛めっき鋼板およびその製造方法が開示されている。この技術は、C：0.05〜0.20％、Si：0.3 〜1.8 ％、Mn：1.0 〜3.0％、等を含有し、複合組織を有し、フェライトを体積率で30％以上、焼戻マルテンサイトを体積率で20％以上、残留オーステナイトを体積率で2％以上含み、さらに、前記フェライトおよび焼戻マルテンサイトの平均結晶粒径が10μm 以下であることを特徴としている。
【０００８】
【特許文献１】
特開平4-173946号公報
【０００９】
【特許文献２】
特開平6-93340号公報
【００１０】
【特許文献３】
特開平6-57373号公報
【００１１】
【特許文献４】
特開2001-192768号公報
【００１２】
【発明が解決しようとする課題】
特開平4-173946号公報に開示された技術では、伸びフランジ性の指標である穴拡げ率λは44〜86％の特性値が得られているが、強度が780MPa以上の鋼板においては、λは44〜61％と安定した高い特性値は得られていない。また、この技術では、980MPa以上の強度の溶融亜鉛めっき鋼板が安定して得られていない。
【００１３】
一方、特開平6-93340号公報に開示された技術では、強度が780MPa級の鋼板において、85〜86％と良好な穴拡げ率が得られている。しかし、この技術では、連続溶融亜鉛めっきラインにおいて、均熱帯と溶融亜鉛めっき浴槽の間に強制冷却設備および加熱炉を新規に設置しなければならないことから、製造コストが極めて高い。
【００１４】
また、この技術でも980MPa以上の強度の溶融亜鉛めっき鋼板が得られていない。更に、上記の従来技術はいずれも高強度鋼板の伸びフランジ性の向上に着眼した技術であり、鋼板の靭性を向上させることは出来ないと考えられる。このため、これらの技術で得られた鋼板では、プレス成形時の部品の靭性（耐二次加工脆性）の劣化が懸念される。
【００１５】
一方、持開平6-57373号公報に開示された技術では、500MPa程度までの強度の耐二次加工脆性の良好な鋼板は得られるが、化学成分から見て780MPa以上の強度を有する鋼板を安定して製造することは困難と考えられる。
【００１６】
特開2001-192768号公報記載の技術は、耐疲労特性の向上を目的としているが、耐二次加工脆性については全く開示されていない。
【００１７】
また、ロッカーなどの自動車の足回り部品に適用される鋼板としては、耐二次加工脆性が良好であるとともに、780MPa以上の強度が要求されているが、鋼板の高強度化に伴い、プレス成形時に結晶粒界への応力集中が大きくなるため、耐二次加工脆性にとってはより厳しい状況となる。従って、上記の従来技術のいずれにおいても、伸びフランジ性、耐二次加工脆性、780MPa以上の引張強度を満足することができないという問題がある。
【００１８】
そこで、本発明では、以上の問題を解決し、780MPa以上の引張強度を有し、伸びフランジ性と耐二次加工脆性に優れた溶融亜鉛めっき鋼板およびそれを安定して製造する方法を提供することを目的とする。
【００１９】
【課題を解決するための手段】
上記課題は次の発明により解決される。その発明は、化学成分がｍａｓｓ％でＣ：０．０３％〜０．０９０％、Ｓｉ≦０．７％、Ｍｎ：２．０〜４．０％、Ｐ≦０．０５％、Ｓ≦０．００５％、Ｓｏｌ．Ａｌ：Ｏ．０１〜０．１％、Ｎ≦０．００５％、Ｔｉ：０．００５〜０．１％、Ｂ：０．０００２〜０．００４０％を含有し、Ｂ、Ｔｉ、Ｎが下記不等式を満足し、残部が鉄および不可避的不純物からなり、平均粒径が５μｍ以下のフェライトと体積率が１５〜８０％のマルテンサイトを有することを特徴とする伸びフランジ性および耐二次加工脆性に優れた溶融亜鉛めっき鋼板である。
【００２０】
0.0002≦B-(11/14)[N-(14/48)Ti]≦0.0030    (1)
ここで、式中の元素記号はそれぞれの元素のmass%を示し、[N-(14/48)Ti]≦0の場合は[N-(14/48)Ti]を0とする。
【００２１】
また、この発明の溶融亜鉛めっき鋼板において、化学成分としてさらに、ｍａｓｓ％で、Ｍｏ：０．０１〜１．０％、Ｖ：０．０１〜０．５％、Ｃｒ：０．０１〜０．５％の内一種以上含有することを特徴とする伸びフランジ性および耐二次加工脆性に優れた溶融亜鉛めっき鋼板とすることもできる。
【００２２】
これらの発明の溶融亜鉛めっき鋼板に関する製造方法の発明は、上記の化学成分の鋼を、溶製して鋳造する工程と、この鋳造されたスラブを熱間圧延する工程と、その後、酸洗して冷間圧延する工程と、冷間圧延後Ac3点以上900℃以下の温度に加熱し、下記式を満足する時間t（sec）保持した後、冷却し、溶融亜鉛めっき処理を施す工程とを備えたことを特徴とする伸びフランジ性および耐二次加工脆性に優れた溶融亜鉛めっき鋼板の製造方法である。
【００２３】
4×｛B-(11/14)[N-(14/48)Ti]｝×104+30≦t
≦4×｛B-(11/14)[N-(14/48)Ti]｝×104+280    (2)
ここで、式中の元素記号はそれぞれの元素のmass%を、tは加熱温度における保持時間（sec）を示し、[N-(14/48)Ti]≦0の場合は[N-(14/48)Ti]を0とする。
【００２４】
この発明は、伸びフランジ性および耐二次加工脆性に優れた高強度溶融亜鉛めっき鋼板を得るために、鋭意検討を重ねた結果、見出された知見に基づきなされた。それは、フェライトとマルテンサイトを含む複合組織の高強度鋼板において、伸びフランジ性の低下および耐二次加工脆性の劣化が、プレス成形前のブランキングおよびプレス成形時のフェライト／マルテンサイト界面近傍への応力集中に起因するということである。
【００２５】
プレス成形前のブランキングの際は、フェライト／マルテンサイト界面近傍への応力集中によって発生するマイクロボイドに起因して、伸びフランジ性が低下する。プレス成形時には、増大する結晶粒界への応力集中により、靭性（耐二次加工脆性）が劣化する。そこで、フェライトを細粒化するとともに、Bを適正添加して粒界強度を上昇させることにより、マイクロボイドの発生が抑制されて、伸びフランジ性の向上が図れると共に、細粒化と粒界強化により靭性が向上し、耐二次加工脆性の向上が図れるということである。
【００２６】
本発明は、780MPa以上の引張強度を有し、伸びフランジ性および耐二次加工脆性に優れた高強度溶融亜鉛めっき鋼板を得るため、上記の要件から構成されている。以下に、本発明の鋼成分の添加理由、成分限定範囲、組織形態および製造条件の限定理由について説明する。
【００２７】
(１)鋼成分の範囲
以下、％はmass％を示す。
【００２８】
Ｃ：０．０３％〜０．０９０％
Ｃは、鋼の強化に有効な元素であり、０．０３％以上の添加量を要する。一方、０．０９０％を超えてＣを添加すると、圧延方向にバンド組織が発達し、プレス成形の際、このバンド組織への応力集中が発生するため靭性が劣化する。このため、Ｃ量は０．０３％〜０．０９０％の範囲内とする。
【００２９】
Si:≦0.7%
Siは、鋼の強化に有効な元素であり、適宜添加することができる。しかし、Si量が0.7%を超えると、焼鈍時の冷却過程において高温域でのフェライト変態が促進され、フェライト粒が粒成長するため、発明の意図する微細なフェライト粒が得られなくなる。さらに、Si量が0.7%を超えると、溶融亜鉛めっきの密着性が劣化し、不均一なめっき皮膜が形成されるため、深絞り成形の際、鋼板表層への応力集中が大きくなり、成形後の耐二次加工脆性にとって好ましくない。このため、Si量は0.7%以下とする。なお、Si量を0.3%未満とすると、耐二次加工脆性が更に向上する。従って、Si量を0.3%未満とすることが好ましい。
【００３０】
Mn:2.0〜4.0%
Mnは、鋼の強化に有効な元素であり、2.0%以上の添加量を要する。一方、Mnの添加量が4.0%を超えると、スラブの鋳造の際、Mnの偏析が発生しやすくなる。圧延、溶融亜鉛めっき処理後、鋼板にはこの偏析に起因したバンド組織が発達するため、伸びフランジ性が著しく劣化する。このため、Mn量は2.0〜4.0%の範囲内とする。
【００３１】
P:≦0.05%
Pは、鋼の強化に有効な元素であり、適宜添加することができる。しかし、Pの添加量が0.05%を超えると、鋳造時のPの偏析に起因した不均一組織が発達しやすくなり、延性が劣化する。従って、Pの添加量を0.05%以下とする。
【００３２】
S:≦0.005%
Sは、鋼中に過剰に存在すると、MnSが多量に形成されるため、鋼板の伸びおよび伸びフランジ性に好ましくない。特にS量が0.005%を超えると、この悪影響が懸念される。このため、S量を0.005%以下とする。
【００３３】
sol.Al:0.01〜0.1%
Alは鋼の脱酸のために、0.01%以上必要である。しかし、Alの添加量が0.1%を超えると、鋼中に酸化物等のAl系介在物が多くなり、延性が著しく劣化する。このため、Al量は0.01〜0.1%の範囲内とする。
【００３４】
N:≦0.005%
Nは、鋼中に過剰に存在すると、スラブの鋳造の際、表面に割れが発生しやすくなる。特に、N量が0.005%を超えると、この悪影響が顕著となる。このため、N量は0.005%以下とする。
【００３５】
B:0.0002〜0.0040%
Bは、固溶状態で存在することにより、焼鈍時にオーステナイト粒界に偏析してオーステナイトを細粒化し、オーステナイトから変態するフェライトの細粒化に極めて有効である。また、Bは、オーステナイトからのマルテンサイト変態の促進にも極めて有効な元素であり、これらの効果を得るため0.0002%以上添加する必要がある。しかし、Bの添加量が0.0040%を超えると、これらの効果は飽和するばかりか、めっき表面外観が劣化する。このため、B量は0.0002〜0.0040%の範囲内とする。
【００３６】
Ti:0.005〜0.1%
Tiは、Nを析出固定することによりBがBNとなるのを防止して、Bを固溶状態に保つことにより、上記Bの効果、即ちフェライトの細粒化およびマルテンサイト変態の促進に、大きく寄与する。このように固溶Bを確保するには、Tiを0.005%以上添加する必要がある。一方、Tiの添加量が0.1%を超えると、めっき表面外観が劣化する。このため、Ti量は0.005〜0.1%の範囲内とする。
【００３７】
固溶B量 B*=B-(11/14)[N-(14/48)Ti]:0.0002〜0.0030%
BおよびTiによる上記の効果を得るには、固溶B量を適正に制御する必要がある。固溶B量の指標としては、B量から析出固定されていないNの当量(11/14)[N-(14/48)Ti]を差し引いた量：
B*=B-(11/14)[N-(14/48)Ti]
を用いる。この量B*が0.0002%未満では所望の微細組織が得られない。一方、この量が0.0030%を超えると、これらの効果は飽和するばかりか、めっき表面外観が劣化する。このため、固溶B量 B*は0.0002〜0.0030%の範囲内とする。なお、[N-(14/48)Ti]の値が、負（TiのN当量＞N）となる場合は0とする。この場合、B*=Bとなり、固溶B量はB添加量に等しくなる。
【００３８】
本発明では、さらに必要に応じて、Ｍｏ，Ｖ，Ｃｒを次の範囲で添加することができる。
【００４０】
Mo:0.01〜1.0%
Moは、鋼の焼入性を向上させる元素であり、鋼の強化に有効である。Moの強化能を得るためには、0.01%以上の添加を必要とする。一方、Moの添加量が1.0%を超えると、めっき表面外観が劣化する。このため、Moを添加する場合は0.01〜1.0%の範囲内とする。
【００４１】
V:添加する場合0.01〜0.5%
Vは、鋼の焼入性を向上させる元素であり、鋼の強化に有効である。Vの強化能を得るためには、0.01%以上の添加を必要とする。一方、Vの添加量が0.5%を超えると、効果は飽和する。このため、Vを添加する場合は0.01〜0.5%の範囲内とする。
【００４２】
Cr:添加する場合0.01〜0.5%
Crは、Mo,V等と同様、鋼の焼入性を向上させる元素であり、鋼の強化に有効である。この効果を得るためには、0.01%以上のCrの添加を必要とする。一方、Crの添加量が0.5%を超えると、強化能は飽和する。このため、Crを添加する場合は0.01〜0.5%の範囲内とする。
【００４３】
上記の鋼成分以外の化学成分については、過剰に添加しなければ、本発明の効果を損なうことはない。例えば、Ｗ，Ｎｉは０．５％以下であれば、本発明の目的とする特性に悪影響を及ぼさない。
【００４４】
(２)鋼板の組織形態
自動車の車体の軽量化の目的から、高強度鋼板の適用に対して、張出し性、伸びフランジ性等のプレス成形性が求められている。張出し性には、n値、伸びなどの素材特性が要求されることから、フェライト、マルテンサイト主体の複合組織鋼板が望ましい。
【００４５】
しかし、この鋼板の場合、プレス成形前のブランキングの際、フェライトと硬質のマルテンサイトの界面近傍への応力集中によりマイクロボイドが多く発生するため、伸びフランジ性の低下が懸念されている。また、鋼の高強度化に伴い、素材自体の靭性が低下するため、プレス成形後の部品の靭性（耐二次加工脆性）の劣化が懸念される。このため、高強度材を実部品へ適用する際には、耐二次加工脆性の向上が重要となる。
【００４６】
そこで本発明では、フェライト、マルテンサイトを含有する780MPa以上の高強度鋼板において、伸びフランジ性とともに、プレス成形後の耐二次加工脆性を向上させるための組織因子を検討した。この結果、フェライトを平均粒径5μm以下に細粒化するとともに、粒界強度を上昇させるBを適量化することにより、フェライト相と硬質のマルテンサイト相の界面の脆化に対する抵抗が増大し、伸びフランジ性および耐二次加工脆性の向上が可能であることが明らかとなった。
【００４７】
具体的な数値は、フェライト粒径とB量を種々に変化させた鋼板を用いて、60゜円錐ポンチによる穴拡げ試験、および深絞り成形材の縦割れ試験を実施して求めた。用いた鋼板は、mass%でC：0.035〜0.075%、Si：0.02〜0.25%、Mn：2.0〜3.0%、P：0.01〜0.03%、S：0.001〜0.003%、sol.Al：0.02〜0.05%、N：0.0020〜0.0035%、Ti：0.01〜0.06%、B：0.0000（無添加）〜0.0040%の化学成分を有し、TSが800〜860MPa、フェライトの平均粒径が2〜15μm、マルテンサイト体積率が27〜42％である溶融亜鉛めっき鋼板（板厚：1.4mm）である。
【００４８】
この鋼板を用いて、JFS TlOOl（日本鉄鋼連盟規格）に準拠した穴拡げ試験により、伸びフランジ性の指標である穴拡げ率λを測定した。また、この鋼板から、図1に示すように、120mmφのブランクを採取し、絞り比1.6（75mmφ）でカップに成形した後、カップ高さ27mmにトリムし、縦割れ試験用サンプルを作製した。このカップを用いて、冷媒中でカップの開口試験を実施し、カップの側壁部に縦割れ破壊が発生しない最低温度Tcを測定した。
【００４９】
穴拡げ試験結果および縦割れ試験結果を、フェライトの平均粒径dF、固溶B量の指標であるB*=B-(11/14)(N-(14/48)Ti)で整理して、図２に示す。フェライトの平均粒径dFが大きくなるほど、穴拡げ率λは低く、縦割れ臨界温度Tcは高くなり、dFが5μmを超えると（図中の△または●）、λは40〜66％（図中の△）、20〜38％（図中の●）と低くなり、伸びフランジ性は劣化する。
【００５０】
またこの図２で、Tcは-10〜-40℃（図中の△）、0〜30℃（図中の●）と高く、耐二次加工脆性が劣化する。また、B*=B-(11/14)(N-(14/48)Ti)が0％の場合には、dFが3μmと小さくても（図中の△）、伸びフランジ性、耐二次加工脆性ともに劣化している。これらの結果は、いずれも穴拡げ試験前の穴打抜き時、および縦割れ試験前の深絞り成形時に、フェライト／マルテンサイトの界面への応力集中が大きいことに起因した特性劣化と考えられる。
【００５１】
一方、dFが5μm以下であり、B*=B-(11/14)(N-(14/48)Ti)が0.0002〜0.0030％の場合（図中○）の場合には、λは65〜86％と高く、Tcは-70〜-90℃と低いことから、良好な伸びフランジ性と耐二次加工脆性が得られている。また、B-(11/14)(N-(14/48)Ti)が0.0030％を超える場合（図中の×）は、良好な伸びフランジ性と耐二次加工脆性が得られるものの、めっき表面外観が劣化している。
【００５２】
このように、フェライトとマルテンサイトを有する780MPa以上の引張強度の溶融亜鉛めっき鋼板において、伸びフランジ性と耐二次加工脆性を向上させるには、フェライトを平均粒径で5μm以下に細粒化し、更に、粒界強度を上昇させるB量を適量化することが必要であることが明らかとなった。
【００５３】
本発明の溶融亜鉛めっき鋼板は、優れた伸びフランジ性と耐二次加工脆性を意図しており、上記（1）のように化学成分を調整し、また、上記（2）のようにフェライトを細粒化した鋼板であり、以下の方法にて製造することができる。
【００５４】
(３)鋼板の製造方法
上記(１)で述べた化学成分の鋼を溶製し、鋳造した後、熱間圧延を施す。鋼の溶製、鋳造は特に限定はなく、成分偏析等、特に組織が不均一でなければよい。また、熱間圧延は鋳造後、直ちに開始してもよいし、或いは一旦冷却し、加熱してから行なってもよい。粗圧延した後、仕上圧延を行ない、コイルに巻き取る。板厚方向の組織の均一化を図るためから、
仕上圧延はAr3点以上とし、コイル巻取温度は700℃未満とするのが好ましい。
【００５５】
次に、得られた熱延板を酸洗し、冷間圧延した後、連続溶融亜鉛めっき処理を施す。冷間圧延率は特に限定する必要はない。焼鈍時の加熱は、固溶Bの粒界偏析によりオーステナイトを微細化し、これより変態するフェライトを平均粒径5μm以下に細粒化するため、適正制御する必要がある。つまり、加熱温度は、オーステナイト単相域であるAc3点以上とし、また、オーステナイトの粗大化を抑制するため、加熱温度の上限は900℃以下とする。また、オーステナイト粒界へのBの偏析を促進させるためには、加熱温度における保持時間を固溶B量により適正制御しなければならないことが明らかとなった。
【００５６】
具体的な数値は、加熱時の保持時間を変化させて焼鈍した鋼板を用いて、組織観察、穴拡げ試験、縦割れ試験を実施して求めた。組織観察では、走査型電子顕微鏡を用いて、圧延方向に平行で板面に垂直な断面において、無作為に抽出した200個分のフェライトの平均粒径とマルテンサイトの体積率を測定した。また、穴拡げ試験、縦割れ試験は上記と同様の方法にて実施した。
【００５７】
用いた鋼板は、mass%でC：0.045〜0.070%、Si:0.1〜0.25%、Mn：2.0〜3.0%、P:0.01〜0.03%、S：0.001〜0.003%、sol.Al：0.02〜0.05%、N：0.0020〜0.0040%、Ti：0.01〜0.06%、B：0.0007〜0.0030%、Nb：0.02〜0.04%の化学成分を有する冷延板（板厚：1.4mm）を、加熱温度850℃、加熱時間50〜600secにて焼鈍した溶融亜鉛めっき鋼板で、TSが810〜870MPaである。
【００５８】
穴拡げ試験結果、縦割れ試験結果、組織観察結果を、加熱時間、固溶B量の指標 B*=B-(11/14)(N-(14/48)Ti)で整理して、図３に示す。なお、組織観察結果では、マルテンサイト体積率は30〜40％である。
【００５９】
図３に示すように、加熱時間t（sec）が長くなるほど、また、B*が少ないほど、フェライトの平均粒径が増大している。これより、平均粒径5μm以下の微細フェライトを得るには、加熱時間tとB*=B-(11/14)[N-(14/48)Ti]で規定される最適条件が存在することが明らかとなった。すなわち、加熱時間t（sec）が4B*×104+30（sec）以上かつ4B*×104+280以下の場合には（図中の○）、フェライトは平均粒径で2〜5μmまで微細化し、λは65〜80％と高く、Tcは-70〜-90℃と低くなり、良好な伸びフランジ性と耐二次加工脆性が得られている。
【００６０】
一方、加熱時間tが4B*×104+280（sec）を超えると（図中の□または×）、フェライト平均粒径が6〜9μm（□）、10〜16μm（×）と増大する。これに伴い、穴拡げ率λは前者（□）が42〜55％、後者（×）が20〜35％と低下し、伸びフランジ性は劣化するとともに、縦割れ臨界温度Tcは、前者（□）が-10〜-40℃、後者（×）が10〜40℃と高くなり、良好な耐二次加工脆性は得られない。また、加熱時間が4B*×104+30未満の場合には（図中の△）、未再結晶組織が残留しており、λは10〜20％と低く、Tcは0〜30℃と高くなり、伸びフランジ性、耐二次加工脆性ともに好ましくない。
【００６１】
続いて、加熱後の冷却条件、その後の溶融亜鉛めっき浴への浸漬条件は、特に限定する必要はなく、亜鉛めっき処理をした後、必要に応じてめっき層に合金化処理を施してもよい。
【００６２】
以上の製造工程を経て、本発明の意図する伸びフランジ性と耐二次加工脆性に優れた高強度溶融亜鉛めっき鋼板を製造することができる。また、このようにして得られた鋼板に電気めっきなどの表面処理を施しても所望の鋼板特性を損なうことはない。
【００６３】
【実施例】
表１に示す成分の鋼（鋼番１〜４、６〜８：本発明鋼、鋼番９〜１３：比較鋼）を実験室にて溶製、鋳造して、板厚６０ｍｍのスラブを作製した。このスラブを板厚３０ｍｍまで分塊圧延した後、大気炉で１２７０℃×１ｈｒの加熱処理を施し、熱間圧延に供した。仕上圧延は８６０℃で実施し、５５０℃×１ｈｒの巻取相当の熱処理を施して、板厚４ｍｍの熱延板を作製した。
【００６４】
【表１】
0004258215.tif 000002
【００６５】
次に、熱延板を酸洗し、板厚1.2mmまで冷間圧延した後、焼鈍および溶融亜鉛めっき処理に供した。加熱は850℃×200secとし、この後、平均冷却速度-5℃/sで冷却し、460℃の溶融亜鉛めっき浴中に浸漬した後、550℃で合金化処理を施した。続いて、得られた溶融亜鉛めっき鋼板に伸長率0.7％の調質圧延を施し、引張試験、組織観察、穴拡げ試験、縦割れ試験、めっき表面外観の評価を実施した。
【００６６】
引張試験は、JIS Z2241（日本工業規格）に準拠した方法にて実施した。組織観察は、走査型電子顕微鏡を用いて、圧延方向に平行で板面に垂直な断面において、無作為に抽出した200個分のフェライトの平均粒径とマルテンサイトの体積率を測定した。穴拡げ試験は、JFS TlOOl（日本鉄鋼連盟規格）に準拠した方法にて実施し、穴拡げ率λにより、伸びフランジ性を評価した。縦割れ試験は、図１に示すカップ成形材の開口試験にて実施し、縦割れ臨界温度Tcにより、耐二次加工脆性を評価した。
【００６７】
また、めっき表面外観は、幅×長さが100mm×1500mmの範囲で、めっき表面を目視にて評価し、不めっき、点状およびすじ状の欠陥が認められた場合には、表面劣化（×）と判定した。これらの特性を評価した結果を表２に示す。
【００６８】
【表２】
0004258215.tif 000003
【００６９】
表２に示すように、本発明例Ｎｏ．１〜４、６〜８（鋼番１〜４、６〜８）はいずれも本発明成分範囲にあり、ＴＳが７９０〜１０１２ＭＰａ、フェライトの平均粒径が２〜５μｍ、マルテンサイト体積率が２５〜６２％であり、７８０ＭＰａ以上の高い引張強度と平均粒径５μｍ以下の細粒組織を有する。
【００７０】
引張強度が７８０ＭＰａ級の本発明例Ｎｏ．１〜４、Ｎｏ．７、８では、縦割れ限界温度１ｔは−７５〜−１１０℃と低く、穴拡げ率λは６５〜８２％と高いことから、良好な伸びフランジ性と耐二次加工脆性が得られている。また、いずれもめっき表面性状は良好である。引張強度が９８０ＭＰａ級の本発明例Ｎｏ．６では、Ｔｃは−５０℃と低く、λは４５％と高いことから、伸びフランジ性、耐二次加工脆性ともに良好な特性が得られており、また、めっき表面性状も良好である。
【００７１】
一方、比較例No.9〜13（鋼番9〜13）はいずれも本発明の範囲外にあり、引張強度、伸びフランジ性、耐二次加工脆性、めっき表面性状を満足しない。比較例No.9は、TSが814MPaと780MPa以上の強度が得られているが、λが40％と低く、Tcが-40℃と高いため、伸びフランジ性、耐二次加工脆性は好ましくない。引張強度が980MPa級の比較例No.10では、λが10％と低く、Tcが-5℃と高くなり、伸びフランジ性、耐二次加工脆性は好ましくない。
【００７２】
比較例No.11、13は、TSがそれぞれ818、833MPaと所望の引張強度が得られているが、フェライトの平均粒径はいずれも8μmと大きく、λが42％、34％と低く、Tcが-15℃、0℃と高くなり、いずれも伸びフランジ性と耐二次加工脆性は劣化している。また、比較例No.11はめっき表面にすじ状欠陥が認められ、表面性状が好ましくない。比較例No.12はTSが670MPaであり、所望の引張強度が得られていない。
【００７３】
【発明の効果】
本発明によれば、鋼の化学成分を規定するとともに、B、Ti、Nで規定される成分量に応じて、焼鈍時の加熱時間を制御することにより、溶融亜鉛めっき処理後の鋼板組織を微細なフェライトとマルテンサイトを主体とする複合組織としている。このように、鋼の化学成分と製造条件を規定することにより、780MPa以上の強度を有する伸びフランジ性と耐二次加工脆性に優れた溶融亜鉛めっき鋼板を、安定して製造することが可能となり、厳しい伸びフランジ成形と低温での強靭性の求められる自動車の構造部品等へ適用できることから、自動車業界における利用価値は大きい。
【図面の簡単な説明】
【図１】鋼板の耐二次加工脆性の評価方法を示す図。
【図２】材質に及ぼすフェライトの平均粒径dFおよび固溶B量 B*の 影響を示す図。（ B*=B-(11/14)[N-(14/48)Ti] ）
【図３】材質に及ぼす加熱時間tおよび固溶B量 B*の 影響を示す図。（ B*=B-(11/14)[N-(14/48)Ti] ）
【図１】
0004258215.tif 000004
【図２】
0004258215.tif 000005
【図３】
0004258215.tif 000006